(57)【要約】  【課題】  ゲルマニウムの持つ医学的効果をより一層発揮させ、また、体を温めて体の重心を正しいバランスで保つための体形補整用ロングガードルを提供すること。  【解決手段】  表地と裏地で構成され、裏地における中央部裏地７８は、ゲルマニウムを含有する布地からなり、腹部の主要な経穴に当接し、また、右側臀部支え裏地７９ａの右ウエスト部８７ｂと左側臀部支え裏地７９ａの左ウエスト部８７ｂは、ゲルマニウムを含有する布地からなり、腰部の主要な経穴に当接し、これらの中央部裏地７８、右ウエスト部８７ｂ、左ウエスト部８７ｂ以外の裏地とすべての表地は、遠赤外線セラミック練り込み糸からなる布地が使用されて表地と裏地が重ね合わせられて縫製してなるものである。【選択図】  図１
2007100221.tif 000002
【特許請求の範囲】
【請求項１】
表地と裏地で構成され、前記表地は、右側表地７１ａ、左側表地７１ｂ、中央飾り地７３、クロッチ用ネット地７４、右側太もも広幅レース７５ａ、左側太もも広幅レース７５ｂからなり、前記右側表地７１ａは、伸縮性を持って織られた布地からなり、前面中央から折り返し線８２を経て後面中央まで覆うだけの幅を有し、また、上下方向は、上端が臍よりやや上まで覆うようなハイウエストで、下端が太ももの略中間位置まで覆う長さであり、この右側表地７１ａの後面に縦半分のハート形の右側臀部モールド部７６ａがモールド形成され、前記左側表地７１ｂについても、右側表地７１ａと対称形をなし、前記中央飾り地７３は、伸縮性の少ない織り方をした布地をダイヤ型に裁断し、前記裏地は、伸縮性のある織り方をした布地を使用した中央部裏地７８、右側臀部支え裏地７９ａ、左側臀部支え裏地７９ｂ、右側太もも裏地８１ａ及び左側太もも裏地８１ｂからなり、前記右側臀部支え裏地７９ａは、内側の右側臀部用切り欠き８０ａが前記右側臀部モールド部７６ａの外周縁部に略一致したＣ型に裁断され、ヒップの上の経穴に当接する右ウエスト部８７ａとヒップを外周から中心に向かって持ち上げて形を整える右ヒップ支持部８８ａとからなり、前記左側臀部支え裏地７９ｂについても、右側臀部支え裏地７９ａと対称形をなし、前記中央部裏地７８は、ゲルマニウムを含有する布地からなり、腹部の主要な経穴に当接し、また、前記右側臀部支え裏地７９ａの右ウエスト部８７ｂと左側臀部支え裏地７９ａの左ウエスト部８７ｂは、ゲルマニウムを含有する布地からなり、腰部の主要な経穴に当接し、これらの中央部裏地７８、右ウエスト部８７ｂ、左ウエスト部８７ｂ以外の裏地とすべての表地は、遠赤外線セラミック練り込み糸からなる布地が使用されて前記表地と裏地が重ね合わせられて縫製してなることを特徴とする体形補整用ロングガードル。
【請求項２】
ゲルマニウム含有布地からなる中央部裏地７８、右ウエスト部８７ｂ、左ウエスト部８７ｂのうち、中央部裏地７８が天枢３９、気海４６、石門４７、大巨４８、関元４９、中極９８の各経穴に当接し、中央部裏地７８と右ウエスト部８７ｂが腎兪４５、命門９９、気界兪１００、大腸兪１０１、腰関１０２の各経穴に当接することを特徴とする請求項１記載の体形補整用ロングガードル。
【請求項３】
ショーツ、ストッキングを着用し、その上に着用するようにしたことを特徴とする請求項１又は２記載の体形補整用ロングガードル。
【発明の詳細な説明】
【技術分野】
【０００１】
本発明は、ゲルマニウムの持つ医学的効果をより一層発揮させ、かつ、身体を正しい体形に補整して、健康と美を保つための特に女性用の体形補整用ロングガードルに関するものである。
【背景技術】
【０００２】
人間の健康を考えるとき、姿勢の善し悪しによって内臓の働きが違ってくる。姿勢がよいということは、先ず第一に、背筋がまっすぐで、骨盤が正しい位置にあり、左右対称形であることである。
女性の場合、バストとヒップの位置がホルモンのバランスのために極めて大切である。
食事、運動、睡眠だけに気をつけても、姿勢を正しく整えなければ、内臓の働きがよくならない。また、現代人は、エネルギー不足で体が冷え、有害な電磁波の影響で自律神経を病んでいる。
この冷えの改善と電磁波を軽減する環境を作ってそれを継続することが重要である。
【０００３】
従来から知られている体型補整用の下着類を用いれば、背筋や背骨をある程度矯正することができるが、脊髄を温めて体のバランスを保つためには、不十分であった。
バスト、ヒップ、腹部、脚部などの体の各部においては、例えば、ブラジャー、ショーツ、ガードル、ストッキングを着用することによってそれぞれ対応する個所の補整をすることができるが、従来のこれらの下着にも種々の問題点があるだけでなく、問題点を解決した下着を着用した上で、さらにその上に体形補整用ボディスーツを着用して全体として補整することで、脊髄と骨盤の正しい位置と背筋を矯正して、体重を正しく支えることができるものである。
【０００４】
ちなみに、女性の理想的なプロポーションは、図６に示すように、バストポイントが、頭の長さＢの２個分、ウエストポイントは、ちょうど肘の部分、ヒップポイントは、身長Ａの２分の１の高さといわれている。また、重心線に対してバストポイントの前の３角とヒップポイントの後ろの３角のバランスが取れていれば、やせた人も太った人も正しいバランスといわれている。
【０００５】
また、健康増進や治療効果を持たせるために、遠赤外線やマイナスイオンを発生する物体を繊維や布地に含有させたものが知られている。
例えば、ゲルマニウムを衣類に包含させたもの（特許文献１）、セラミックを繊維に包含させたもの（特許文献２）、トルマリンを繊維に塗布させたもの（特許文献３）、ゲルマニウムとセラミックの両方を繊維に包含させたもの（特許文献４）などである。
【特許文献１】特許第３４４９９９９号公報
【特許文献２】特開平１１―２１７７０２号公報
【特許文献３】実用新案登録第３０７９２７６号公報
【特許文献４】特開平５―３０９１３８号公報
【発明の開示】
【発明が解決しようとする課題】
【０００６】
体の各部に着用する下着である従来のブラジャー、ショーツ、ガードル、ストッキングには、以下のような問題があった。
従来のブラジャーは、カップを保持するための背面帯部が水平となるようないわゆる平面裁断となっていて、真横にブラジャーを締め付けることとなっていた。
そのため、胃を締め付けることになって苦痛を与えたり、脇の下を締め付けることとなってリンパの流れを妨げたりし、また、バストを肩紐だけで支えるために肩こりの原因になっていた。さらに、バストを正しく包み込めないため、バストと脇の下との間に副乳という脂肪の塊ができたり、バストの形を崩したりする原因になっていた。
【０００７】
従来のショーツ６０は、図５に示すように、臍より下で穿くものが多かった。臍を包むものでもゴム紐の部分が細く食い込み易く、そけいリンパを圧迫するものがほとんどである。そのために体の血流を妨げてしまい、体を冷やす原因になっている。また、ヒップを包みきれないような小さなショーツでは、垂れヒップなどヒップの形を崩し、また、ゴム紐で腹に食い込むと、上や下に脂肪を逃がし、３段腹、寸胴、ピーマン形等、体のラインを崩してしまうことになる。
【０００８】
現代人は、エネルギー不足で体が冷え、有害な電磁波の影響で自律神経を病んでいる。この冷えの改善と電磁波を軽減する環境を作ってそれを継続することが重要である。
しかるに、従来のショートガードルでは、ヒップからウエストの周りを強く締め付けるものが多く、また、ハイウエストのものでも、ウエスト部分のきついものがほとんどであった。そのため、そけいリンパを圧迫し、かつ、ヒップの形を崩し、太ももに脂肪を逃がし、太ももを太くする。そけいリンパを圧迫すると、脚のリンパの流れや血流も悪くなり、体を冷やす原因になっている。
【０００９】
また、上述の特許文献によれば、遠赤外線やマイナスイオンを放射するゲルマニウム、セラミック、トルマリン等を繊維や布地に含有させ、下着、ソックスなどに使用するという一般的な利用方法についての記載はあるが、経穴との関連性、ゲルマニウム布地とセラミック布地の関連性など、具体的な使用方法については触れられていなかった。すなわち、ゲルマニウムは、患部に貼ったり、ゲルマニウムを包含する布地を皮膚に接触させたとしても、その接触面の温度が３２℃以上にならないと、医学的効果があまり現れない。なぜなら、ゲルマニウムは、接触面の温度が３２℃以上にならないと、外側の軌道を回る４個のマイナス電子が外へ飛び出さないからである。
【００１０】
本発明の目的は、ゲルマニウムの持つ医学的効果をより一層発揮させ、また、正しい姿勢を維持し、かつ、体を温めて体の重心を正しいバランスで保つための体形補整用ロングガードルを提供することである。
【課題を解決するための手段】
【００１１】
本発明は、表地と裏地で構成され、前記表地は、右側表地７１ａ、左側表地７１ｂ、中央飾り地７３、クロッチ用ネット地７４、右側太もも広幅レース７５ａ、左側太もも広幅レース７５ｂからなり、前記右側表地７１ａは、伸縮性を持って織られた布地からなり、前面中央から折り返し線８２を経て後面中央まで覆うだけの幅を有し、また、上下方向は、上端が臍よりやや上まで覆うようなハイウエストで、下端が太ももの略中間位置まで覆う長さであり、この右側表地７１ａの後面に縦半分のハート形の右側臀部モールド部７６ａがモールド形成され、前記左側表地７１ｂについても、右側表地７１ａと対称形をなし、前記中央飾り地７３は、伸縮性の少ない織り方をした布地をダイヤ型に裁断し、前記裏地は、伸縮性のある織り方をした布地を使用した中央部裏地７８、右側臀部支え裏地７９ａ、左側臀部支え裏地７９ｂ、右側太もも裏地８１ａ及び左側太もも裏地８１ｂからなり、前記右側臀部支え裏地７９ａは、内側の右側臀部用切り欠き８０ａが前記右側臀部モールド部７６ａの外周縁部に略一致したＣ型に裁断され、ヒップの上の経穴に当接する右ウエスト部８７ａとヒップを外周から中心に向かって持ち上げて形を整える右ヒップ支持部８８ａとからなり、前記左側臀部支え裏地７９ｂについても、右側臀部支え裏地７９ａと対称形をなし、前記中央部裏地７８は、ゲルマニウムを含有する布地からなり、腹部の主要な経穴に当接し、また、前記右側臀部支え裏地７９ａの右ウエスト部８７ｂと左側臀部支え裏地７９ａの左ウエスト部８７ｂは、ゲルマニウムを含有する布地からなり、腰部の主要な経穴に当接し、これらの中央部裏地７８、右ウエスト部８７ｂ、左ウエスト部８７ｂ以外の裏地とすべての表地は、遠赤外線セラミック練り込み糸からなる布地が使用されて前記表地と裏地が重ね合わせられて縫製してなることを特徴とする体形補整用ロングガードルである。
【発明の効果】
【００１２】
請求項１記載の発明によれば、腹部と腰部の主要な経穴に当接する中央部裏地７８、右ウエスト部８７ｂ、左ウエスト部８７ｂは、ゲルマニウム含有布地からなり、その他の表地と裏地は、遠赤外線セラミック練り込み布地からなるので、遠赤外線セラミック練り込み布地の作用により、体温に近い温度かそれ以上の温度まで皮下深層の温度が上昇し、微細血管の拡張、血液循環、新陳代謝の促進等が行なわれる。それに相乗して、ゲルマニウムのマイナスイオンが吸着されて酸性状態の血液であれば、そのｐＨを中性にし、逆にアルカリ状態であれば、電子反転作用でプラスイオンとなり、血液中のｐＨを正常に保つ働きをする。イオン化したゲルマニウム電子は、皮膚組織の下に浸透し、その電子特性により接触面の血行を促進し、細胞を活性化させ細胞内の電流バランスを整える。身体の生体電流を活性化させ、血行をよくすることで、筋肉の凝り、痛み、疲労を緩和させる。
このように遠赤外線セラミック練り込み布地の作用と相乗して、ゲルマニウムは、接触面の温度が３２℃以上になると十分に医学的効果が現われる。
また、正しい姿勢を維持しつつ、かつ、体を温めて体の重心を正しいバランスで保つことができる。
【００１３】
請求項２記載の発明によれば、ゲルマニウム含有布地からなる中央部裏地７８、右ウエスト部８７ｂ、左ウエスト部８７ｂのうち、中央部裏地７８が天枢３９、気海４６、石門４７、大巨４８、関元４９、中極９８の各経穴に当接して刺激し、また、中央部裏地７８と右ウエスト部８７ｂが腎兪４５、命門９９、気界兪１００、大腸兪１０１、腰関１０２の各経穴に当接して刺激する。したがって、血液が酸性状態であれば、ゲルマニウムのマイナスイオンが吸着されて血液ｐＨを中性にし、逆にアルカリ状態であれば、電子反転作用でプラスイオンとなり、血液中のｐＨを正常に保つ働きをより一層活性化する。イオン化したゲルマニウム電子は、皮膚組織の下に浸透し、その電子特性により接触面の血行を促進し、細胞を活性化させ細胞内の電流バランスを整える。身体の生体電流を活性化させ、血行をよくすることで、筋肉の凝り、痛み、疲労を緩和させることができる。
【００１４】
請求項３記載の発明によれば、本発明の体形補整用ロングガードルをショーツ、ストッキングの上に着用するようにしたので、正しい姿勢を維持し、かつ、体を温めて体の重心を正しいバランスで保つことができる。
【発明を実施するための最良の形態】
【００１５】
本発明の体形補整用ロングガードルは、腹部と腰部の主要な経穴に当接する中央部裏地７８、右ウエスト部８７ｂ、左ウエスト部８７ｂは、ゲルマニウム含有布地からなり、その他の表地と裏地は、遠赤外線セラミック練り込み布地からなる。
【００１６】
ゲルマニウム含有布地からなる中央部裏地７８、右ウエスト部８７ｂ、左ウエスト部８７ｂのうち、中央部裏地７８が腹部の天枢３９、気海４６、石門４７、大巨４８、関元４９、中極９８の各経穴に当接して刺激し、また、中央部裏地７８と右ウエスト部８７ｂが腰部の腎兪４５、命門９９、気界兪１００、大腸兪１０１、腰関１０２の各経穴に当接して刺激する。
【００１７】
本発明の体形補整用ロングガードルは、ショーツ、ストッキングを着用し、その上に着用するようにしてもよいし、ショーツ、ストッキングを着用せずに地肌に直接着用してもよい。
【実施例１】
【００１８】
本発明による体形補整用ロングガードル７０の一実施例の説明の前に、体形補整用ロングガードル７０によって医学的効果を生じせしめる経穴について、図７（ａ）（ｂ）に基づき説明する。
図７（ａ）に示す身体の前面には、腹部の中央線に沿って重要な多数の経穴が存在する。代表的なものとして、例えば、以下のようなものがある。
天枢（てんすう）３９：へその左右にあり、慢性胃腸炎、大腸カタル、赤痢、腹膜炎、神経衰弱、角膜実質炎等の治療に効果を発揮する。
気海（きかい）４６：へそ下４〜５ｃｍのところにあり、精神症時の呼吸促迫、婦人病・泌尿器・消化器の急性の痛みの治療に効果を発揮する。
石門（せきもん）４７：へそした６〜７ｃｍのところにあり、腹部膨満、水腫、小便不利、崩漏、閉経、白帯の治療に効果を発揮する。
大巨（だいこ）４８：：へそ下７〜８ｃｍの左右にあり、腸疝痛、腰痛、便秘、腸カタル、卵巣・卵管炎、月経停滞等の治療に効果を発揮する。
関元（かんげん）４９：へそ下７〜８ｃｍのところにあり、小腸疾患、膀胱疾患、婦人病、腹膜炎、精力減退等の治療に効果を発揮する。
中極（ちゅうきょく）９８：へそ下８〜９ｃｍのところにあり、膀胱疾患、婦人病、生殖器病、頭重、下肢のリウマチ等の治療に効果を発揮する。
【００１９】
また、図７（ｂ）に示す身体の背面の腰部には、背骨の両側に沿って重要な多数の経穴が存在する。代表的なものとして、例えば、以下のようなものがある。
腎兪（じんゆ）４５：第２腰椎棘突起の真下から３〜４ｃｍ外方（左右１箇所ずつ）にあり、生殖器・泌尿器・消化器・神経系の病気で生命力の衰えからくるものの治療に効果を発揮する。
命門（めいもん）９９：第２・第３腰椎棘突起の間にあり、腰痛、腰椎カリエス、下肢麻痺、下痢、腹膜炎、淋疾、性欲減退等の治療に効果を発揮する。
気界兪（きかいゆ）１００：第３・第４腰椎棘突起の真下から左右にそれぞれ約３〜４ｃｍのところにあり、腰痛、痔疾患、月経困難、生理通の治療に効果を発揮する。
大腸兪（だいちょうゆ）１０１：第４・第５腰椎棘突起の直下から、左右に約３〜４ｃｍのところにあり、腸カタル、便秘、痔疾、腰痛、坐骨神経痛等の治療に効果を発揮する。
腰関（ようかん）１０２：第４・第５腰椎棘突起の間にあり、頭痛、腰痛、臍痛、下肢疾患、膀胱疾患、下痢等の治療に効果を発揮する。
【００２０】
これらの経穴に有効な本発明による体形補整用ロングガードルの一実施例を図１乃至図４に基づき説明する。
本発明による体形補整用ロングガードル７０は、表地と裏地で構成されているが、表地全部と、裏地のうちの後述するゲルマニウム布地使用個所以外の残りの裏地とに遠赤外線セラミック練り込み糸からなる布地が使用されている。前記ゲルマニウム布地に含有されるゲルマニウムは、無機ゲルマニウム、有機ゲルマニウムの何れであってもよい。
【００２１】
前記表地は、図４（ａ）に示すように、右側表地７１ａ、左側表地７１ｂ、中央飾り地７３、クロッチ用ネット地７４、右側太もも広幅レース７５ａ、左側太もも広幅レース７５ｂからなる。
前記右側表地７１ａは、伸縮性を持って織られた布地からなり、前面中央から折り返し線８２を経て後面中央まで覆うだけの幅を有し、また、上下方向は、上端が臍よりやや上まで覆うようなハイウエストで、下端が太ももの略中間位置まで覆う長さとなっている。この右側表地７１ａの前面側中央部に当たる部分には、中央飾り地７３の取り付け用の鉤型の切り欠きと、右側クロッチ取付け切り欠き７７ａが形成され、後面側中央部に当たる部分にも右側クロッチ取付け切り欠き７７ａが形成され、さらに、後面に縦半分のハート形の右側臀部モールド部７６ａがモールド形成されている。
前記左側表地７１ｂについても、右側表地７１ａと対称形をなしている。
なお、右側表地７１ａと左側表地７１ｂにおいて、両側の折り返し線８２で折り返すようにして、縫い代を作らないようにしているのは、縫い代を作ると、その縫い代でヒップに圧力がかかり、ヒップに縦筋が生じるからである。
【００２２】
前記中央飾り地７３は、伸縮性の少ない織り方をした布地をダイヤ型に裁断したものである。
前記右側太もも広幅レース７５ａと左側太もも広幅レース７５ｂは、図４（ａ）に２点鎖線で示すように、前記右側表地７１ａと左側表地７１ｂの下端部にそれぞれ重ねて縫製されるもので、伸縮性のある織り方をした飾りを兼ねたストレッチレース布からなる。
前記クロッチ用ネット地７４は、伸縮性のある織り方をしたネットなどの布地で、２枚重ねとなっている。
【００２３】
図４（ｂ）に示す裏地は、伸縮性のある織り方をした布地を使用した中央部裏地７８、右側臀部支え裏地７９ａ、左側臀部支え裏地７９ｂ、右側太もも裏地８１ａ及び左側太もも裏地８１ｂからなる。８３は、ゴム紐である。
前記右側臀部支え裏地７９ａは、内側の右側臀部用切り欠き８０ａが前記右側臀部モールド部７６ａの外周縁部に略一致したＣ型に裁断され、ヒップの上の複数の経穴に当接する右ウエスト部８７ａとヒップを外周から中心に向かって持ち上げて形を整える右ヒップ支持部８８ａとからなる。
この右ヒップ支持部８８ａに、前記右側表地７１ａの切り欠きと一致する右側クロッチ取付け切り欠き７７ａが切り欠かれている。
前記左側臀部支え裏地７９ｂについても、右側臀部支え裏地７９ａと対称形をなしている。
【００２４】
前記右側太もも裏地８１ａは、内股に位置するようにしてリンパの流れと血流を促進し、経穴を温めるための２枚重ね部８５ａと、太ももの全周囲を圧迫せずに、しかも、しっかりと支えるための帯状部８６ａとからなり、前記２枚重ね部８５ａには、前記右側表地７１ａの右側クロッチ取付け切り欠き７７ａと一致する右側クロッチ取付け切り欠き７７ａが切り欠かれている。
【００２５】
前記中央部裏地７８は、ゲルマニウムを含有する布地からなり、前述の複数の経穴、具体的には、天枢３９、気海４６、石門４７、大巨４８、関元４９、中極９８に当接する。また、前記右側臀部支え裏地７９ａの右ウエスト部８７ｂと左側臀部支え裏地７９ａの左ウエスト部８７ｂは、ゲルマニウムを含有する布地からなり、前述の複数の経穴、具体的には、腎兪４５、命門９９、気界兪１００、大腸兪１０１、腰関１０２に当接する。
これらの中央部裏地７８、右ウエスト部８７ｂ、左ウエスト部８７ｂ以外の裏地とすべての表地は、遠赤外線セラミック練り込み糸からなる布地が使用される。
【００２６】
以上のような表地と裏地が重ね合わせられて縫製される。
このとき、後面の臀部モールド部７６を２分する部分と上端部とに、それぞれゴム紐８３を一体に縫い付け、シャーリングによるダーツを作る。このため、臀部モールド部７６の部分では、図３に示すように、後面がやや下方へ引き下げられて、中間部にたるみが形成され、ヒップ部分の丸みがより強調される。また、上端部分では、表地７１と臀部支え裏地７９が共に伸縮性を有することと相俟って、ゴム紐８３がきつくならないように、即ち、ウエスト部分が食い込まない程度に緩めに縫製されている。
【００２７】
このようにして形成された股上の深いガードル７０を穿くことで、ウエスト部分に圧迫感を与えることなく、下腹部とウエスト部の贅肉をすっぽりと包み込み、また、ヒップの丸みもつぶさず、ヒップを外周から臀部モールド部７６に向かって持ち上げて形を整え、さらに、太ももの中間まで包み込んだロングガードルとなっていることで、太ももに脂肪が流れるのを阻止している。
ヒップを逆ハート型の臀部モールド部７６部分で補整しつつ体重を支えるために、背骨にかかる負担を軽減することができる。
また、表地７１に中央部裏地７８、臀部支え裏地７９、太もも裏地８１を張り合わせることにより一重部８４の部分が生じるが、これは、足の付け根部分の動きを妨げないようにしたものである。
【００２８】
このように構成された体形補整用ロングガードル７０は、ショーツとストッキングを付けて着用するか、または、ショーツとストッキングを付けずに、直接、着用する。
すると、前記中央部裏地７８は、ゲルマニウムを含有する布地からなり、前述の天枢３９、気海４６、石門４７、大巨４８、関元４９、中極９８の各経穴に当接する。
また、前記右側臀部支え裏地７９ａの右ウエスト部８７ｂと左側臀部支え裏地７９ａの左ウエスト部８７ｂは、ゲルマニウムを含有する布地からなり、前述の腎兪４５、命門９９、気界兪１００、大腸兪１０１、腰関１０２の各経穴に当接する。
【００２９】
さらに詳しくは、本発明の体形補整用ロングガードル７０は、全ての表地と裏地のうちゲルマニウム含有の布地の使用個所（中央部裏地７８、右ウエスト部８７ｂ、左ウエスト部８７ｂ）以外は、遠赤外線セラミック練り込み糸からなる布地を使用しているので、この遠赤外線セラミック練り込み布地の作用により、体温に近い温度かそれ以上の温度まで皮下深層の温度が上昇し、微細血管の拡張、血液循環、新陳代謝の促進等が行なわれる。
この遠赤外線セラミック練り込み布地の作用により皮膚温度が十分上昇した状態になると、具体的には、皮膚温度が３２℃以上になると、ゲルマニウム含有の布地の中央部裏地７８は、腹部の天枢３９、気海４６、石門４７、大巨４８、関元４９、中極９８の各経穴に当接して刺激する。また、ゲルマニウムを含有する布地の右ウエスト部８７ｂと左ウエスト部８７ｂは、腰部の腎兪４５、命門９９、気界兪１００、大腸兪１０１、腰関１０２の各経穴に当接して刺激する。
【００３０】
即ち、半導体であるゲルマニウムは、Ｇｅ―Ｇｅ結合が比較的弱いため、ゲルマニウムの接触面の温度が３２℃以上になるにつれて結合が切れ、一番外側の軌道を回る４個のマイナス電子が外へ飛び出し、電子浸透圧が働き、イオン化して皮膚組織の下に浸透する。皮下組織中の毛細血管に到達したゲルマニウムイオンは、血管壁を浸透し、血液中で電子の移動が行なわれる。
人間には、ごく微弱な生体電流が流れている。体の細胞の一つ一つがプラスとマイナスの電気がつり合って調和していればよいが、そのバランスが崩れると、体内に流れている生体電流が乱れてしまう。その結果、痛みの症状としてあらわれるのが、かた、くびの凝り、腰や膝の痛み、めまいなど様々な体の不調となる。
ここで、血液が酸性状態であれば、ゲルマニウムのマイナスイオンが吸着されて血液ｐＨを中性にし、逆にアルカリ状態であれば、電子反転作用でプラスイオンとなり、血液中のｐＨを正常に保つ働きをする。イオン化したゲルマニウム電子は、皮膚組織の下に浸透し、その電子特性により接触面の血行を促進し、細胞を活性化させ細胞内の電流バランスを整える。身体の生体電流を活性化させ、血行をよくすることで、筋肉の凝り、痛み、疲労を緩和させる。
このように、遠赤外線セラミック練り込み布地の作用により皮膚温度が十分上昇して接触面の温度が３２℃以上になると、ゲルマニウムには、十分に医学的効果が現われる。
【００３１】
ちなみに、不眠症、肩こりに悩む人に本発明製品を着用させ、使用前と使用後の血液を採取して顕微鏡映像で赤血球を比較した。使用前は、赤血球がどろどろに重なり合い、身体全体に酸素や栄養供給が不足になり、肩凝り、腰痛、神経痛が起こりやすい状態であった。本発明製品を着用してから３０分後に再度血液を採取したところ、血液がさらさらな正常状態に戻ったことが認められた。
【図面の簡単な説明】
【００３２】
【図１】本発明による体形補整用ロングガードルを着用した状態の一実施例を示すもので、（ａ）は、正面図、（ｂ）は、側面図である。
【図２】図１における体形補整用ロングガードルの正面図である。
【図３】図１における体形補整用ロングガードルの背面図である。
【図４】図１における体形補整用ロングガードルを展開したもので、（ａ）は、表地の分解図、（ｂ）は、裏地の分解図である。
【図５】従来のショートガードルを着用した背面図である。
【図６】日本の女性の理想的プロポーションの説明図である。
【図７】身体の経穴を示すもので、（ａ）は、腹部側の経穴の説明図、（ｂ）は、腰部側の経穴の説明図である。
【符号の説明】
【００３３】
３９…天枢、４５…腎兪、４６…気海、４７…石門、４８…大巨、４９…関元、７０…体形補整用ボディスーツ、７１ａ…右側表地、７１ｂ…左側表地、７３…中央飾り地、７４…クロッチ用ネット地、７５ａ…右側太もも広幅レース、７５ｂ…左側太もも広幅レース、７６ａ…右側臀部モールド部、７６ｂ…左側臀部モールド部、７８…中央部裏地、７９ａ…右側臀部支え裏地、７９ｂ…左側臀部支え裏地、８０ａ…右側臀部用切り欠き、８０ｂ…左側臀部用切り欠き、８１ａ…右側太もも裏地、８１ｂ…左側太もも裏地、８２…折り返し線、８７ａ…右ウエスト部、８７ｂ…左ウエスト部、８８ａ…右ヒップ支持部、８８ｂ…左ヒップ支持部、９８…中極、９９…命門、１００…気界兪、１０１…大腸兪、１０２…腰関。
【図１】
2007100221.tif 000003
【図２】
2007100221.tif 000004
【図３】
2007100221.tif 000005
【図４】
2007100221.tif 000006
【図５】
2007100221.tif 000007
【図６】
2007100221.tif 000008
【図７】
2007100221.tif 000009